(57)【特許請求の範囲】
【請求項１】
上部が開口されたほぼ直方体状のケーシングと、該ケーシングの上部開口部を閉塞する天面パネルとを有し、前記ケーシングを構成する前面パネルに形成されたプロペラファンの吹出し口にベルマウスが設けられ、前記吹出し口の前面側に吹出しグリルが取付けられた室外機において、
前記天面パネルの前面側の前記吹出しグリルに対応する部分の縁部に、該縁部から前面側に張り出した庇部を設け、
前記庇部の前端部の下部を内側に折り曲げて折り曲げ部を形成した
ことを特徴とする室外機。
【請求項２】
上部が開口されたほぼ直方体状のケーシングと、該ケーシングの上部開口部を閉塞する天面パネルとを有し、前記ケーシングを構成する前面パネルに形成されたプロペラファンの吹出し口にベルマウスが設けられ、前記吹出し口の前面側に吹出しグリルが取付けられた室外機において、
前記天面パネルの前面側の前記吹出しグリルに対応する部分の縁部に、該縁部から前面側に張り出した庇部を設け、
前記前面パネルの前記庇部に連続する一方の側縁部を段部を介して数ｍｍ〜１０ｍｍ程度張り出した張り出し部を形成すると共に、前記ケーシングの側面を前記前面パネルの張り出し部に対応した形状に形成したことを特徴とする室外機。
【請求項３】
上部が開口されたほぼ直方体状のケーシングと、該ケーシングの上部開口部を閉塞する天面パネルとを有し、前記ケーシングを構成する前面パネルに形成されたプロペラファンの吹出し口にベルマウスが設けられ、前記吹出し口の前面側に吹出しグリルが取付けられた室外機において、
前記天面パネルの前面側の前記吹出しグリルに対応する部分の縁部に、該縁部から前面側に張り出した庇部を設け、
前記前面パネルの外周に設けた嵌合部に、前記庇部の近傍を含む複数箇所にねじ挿通穴を設け、該ねじ挿通穴に挿通したねじを前記ケーシングの上部開口部の周縁の係合部に設けたねじ穴に螺入して両者を一体に固定したことを特徴とする室外機。
【請求項４】
前記庇部に代えて、前記天面パネルの前面側の縁部全体に、該縁部から前面側に張り出した庇部を設けたことを特徴とする請求項１〜３のいずれか一項に記載の室外機。
【請求項５】
前記庇部は、前記天面パネルの前面側の縁部から１０〜２０ｍｍ程度張り出したことを特徴とする請求項１〜４のいずれか一項に記載の室外機。
【請求項６】
請求項１〜５のいずれか一項に記載の室外機を備えたことを特徴とする空気調和装置。
【発明の詳細な説明】
【技術分野】
【０００１】
本発明は、空気調和装置の室外機及びこの室外機を備えた空気調和装置に関するものである。
【背景技術】
【０００２】
空気調和装置の室外機において、暖房運転中に雨や雪などによって前面パネルに付着した水滴や、室外機の上に積っている雪が融けた水滴が前面パネルの表面に沿って落下し、ベルマウスとファンの間に浸入する。
そして、外気温度が低い場合は、ファンの吹出し空気温度が氷点以下となることがあり、そのような場合はベルマウスとファンとの間に浸入した水滴が氷結し、水滴の量が多いと氷結した氷が成長してファンと接触し、異常音を発生したり、回転を妨げることにより室外機が異常停止するなどの問題が発生した。
【０００３】
このような問題を解消するためにケーシングにファンの吹出し口を形成するベルマウスを設けると共に、その前面側に吹出しグリルを設け、吹出し口の上方に吹出し口の径以上の幅を有し、ケーシングと吹出し口との間をシールするシール部材を設けた空気調和機用室外機が提案されている（例えば、特許文献１参照）。
【先行技術文献】
【特許文献】
【０００４】
【特許文献１】実用新案登録第２５１００７８号公報（第２頁、図１）
【発明の概要】
【発明が解決しようとする課題】
【０００５】
特許文献１の空気調和機用室外機は、ケーシングと吹出しグリルの上部の間をシール部材でシールする場合、鉄線を溶接した吹出しグリルの外周、少なくとも上辺において額縁状の縁が必要であり、外観意匠性を損うばかりでなく、鉄線部分に板状の部品を組合わせる必要があり、製造が面倒でコストの高くなるという問題があった。
また、シール部材は、吹出しグリルの両端部だけの固定では、中央部分のすき間を塞ぐことが難しいので固定ねじを増加することになるが、このため外観性、作業性が悪化するという問題点があった。
【０００６】
さらに、前記のシール部材を固定する固定箇所を削減するために、シール部材の両端部のみを固定し、中間部を吹出しグリルの弾性を利用してケーシングに押し付けることで、ガタツキや振動を抑制するようにしている。しかし、この場合は、吹出しグリル自体の弾性によりたわんだ状態で両端部が固定されるため、ケーシングと吹出しグリルとの間をシールするシール部材が曲線状になり、確実にシールすることは困難である。
【０００７】
また、シール部材は厚みと同程度の幅が必要なため、吹出しグリルの上面から１０ｍｍ以上下った位置に壁が出来ることになる。このため、製品サイズの小型化と性能改善のために、ファン径を最大限に設定する必要がある製品設計上、特に、吹出しグリルの上辺の中央部付近において、シール部材が風路側に突出してファンによる吹出しを阻害することになり、騒音の発生や空力性能の阻害要因になっていた。
【０００８】
本発明は、上記の課題を解決するためになされたもので、簡単な構造でベルマウスとプロペラファンとの間で水滴が氷結するのを確実に防止することのできる室外機及びこの室外機を備えた空気調和装置を提供することを目的としたものである。
【課題を解決するための手段】
【０００９】
本発明に係る室外機は、上部が開口されたほぼ直方体状のケーシングと、該ケーシングの上部開口部を閉塞する天面パネルとを有し、前記ケーシングを構成する前面パネルに形成されたプロペラファンの吹出し口にベルマウスが設けられ、前記吹出し口の前面側に吹出しグリルが取付けられた室外機において、前記天面パネルの前面側の前記吹出しグリルに対応する部分の縁部に、該縁部から前面側に張り出した庇部を設け、前記庇部の前端部の下部を内側に折り曲げて折り曲げ部を形成したものである。
【００１０】
また、本発明に係る空気調和装置は、上記の室外機を備えたものである。
【発明の効果】
【００１１】
本発明によれば、簡単な構造で外観性を損うことがなく、ベルマウスとプロペラファンとの間で水滴が氷結するのを確実に防止することのできる室外機及びこれを備えた空気調和装置を得ることができる。
【図面の簡単な説明】
【００１２】
【図１】本発明の実施の形態１に係る空気調和装置の室外機の外観斜視図である。
【図２】図１の天面パネルを取り外した状態を示す斜視図である。
【図３】図２の斜め反対側からみた斜視図である。
【図４】図１の上面図である。
【図５】図２の正面図である。
【図６】図５のＸ−Ｘ断面図及びそのＡ部の拡大図である。
【図７】本発明の実施の形態２に係る空気調和装置の室外機の天面パネルを取り外した状態を示す斜視図である。
【発明を実施するための形態】
【００１３】
［実施の形態１］
図１は本発明の実施の形態１に係る空気調和装置の室外機の外観斜視図、図２は図１の天面パネルを取り外した状態を示す斜視図、図３は図２の斜め反対側からみた斜視図、図４は図１の上面図である。なお、以下の説明では、図の手前側を前面側、奥側を背面側、左側を左側面、右側を右側面という。
【００１４】
図１〜図４において、１は室外機のケーシングで、下面に脚部２ａを有する底板、前面側から左側面にかけて設置されたほぼＬ字状の前面パネル３、右側面から背面側の一部にかけて設置された側面パネル４及び背面側から左側面の前面パネル３の内側にかけて設置されたほぼＬ字状の熱交換器５により、上面が開口された直方体状に形成されており、上面開口部は天面パネル１５により閉塞されている。なお、ケーシング１内には、仕切り板、圧縮機、冷媒配管、電気品などが搭載されているが、図示してない。
【００１５】
３０はその駆動モータ（図示せず）がケーシング１内において底板２に立設されたモータ取付板６に取り付けられたプロペラファンで、前面パネル３に設けたプロペラファン３０の吹出し口にはベルマウス７が設けられており、吹出し口の外側には、吹出し口を覆って吹出しグリル８が取付けられている。
そして、前面パネル３及び側面パネル４の上端部には、段部９ａを介して僅かに縮小された係合部９が形成されており、後述の天面パネル１５の嵌合部１８に設けねじ挿通穴１９に対応してねじ穴１０が設けられている。
【００１６】
天面パネル１５はケーシング１の外形とほぼ等しい大きさに形成され、周縁には後述の庇部１６を除き、ケーシング１の係合部９に嵌合する嵌合部１８が設けられており、前面側の吹出しグリル８に対応する部分は、縁部から外方（前面側）に張り出した庇部１６が設けられている。実施例では、この庇部１６の張り出し量を縁部から１０〜２０ｍｍ程度としたが、これに限定するものではない。そして、嵌合部１８には、庇部１６の近傍を含めて複数のねじ挿通穴１９が設けられている。
【００１７】
この庇部１６は、図５のＸ−Ｘ断面図である図６（ａ），（ｂ）に示すように、前端部の下部が内側にほぼＵ字状に折り曲げられ、又は内側に向ってカールされている（以下、この部分を折り曲げ部１７という）。
また、図３、図４に示すように、天面パネル１５の庇部１６に続く左側面の縁部は、段部２１を介して庇部１６の左端部の面より僅かに張り出して（例えば、数ｍｍ〜１０ｍｍ程度）、張り出し部２０が形成されている。なお、ケーシング１の前面パネル３の側面部３ａも、段部１１を介して天面パネル１５の張り出し部２０に対応した形状になっている。
【００１８】
このように構成した天面パネル１５は、その嵌合部１８をケーシング１の係合部９に嵌合してケーシング１の上部開口部を閉塞し、天面パネル１５の嵌合部１８に設けた複数のねじ挿通穴１９に挿通したねじを、このねじ挿通穴１９に対応してケーシング１の係合部９に設けたねじ穴１０にそれぞれ螺入し、一体に固定する。このとき、天面パネル１５に設けた庇部１６は、吹出しグリル８の上方において前面パネル３の表面から、前面側にほぼ吹出しグリル８の前縁部の近傍まで突出する。
【００１９】
この場合、吹出しグリル８がケーシング１の左側に位置するため、天面パネル１５はその左側の縁部と、庇部１６の左側の端面とが同一平面になり、この部分が直線状になっていると、製品組立時に天面パネル１５が前後方向にずれて、ねじ挿通穴１９とねじ穴１０が整合せず、作業性が悪くなるおそれがある。
【００２０】
本実施の形態においては、天面パネル１６の左側の縁部を、庇部１６の左側の端面との間に設けた段部２０ａを介して若干張り出した張り出し部２０を形成し、ケーシング１の前面パネル３の側面３ａも段部１１ａを介して張り出し部２０に対応した形状に形成したので、組立時に天面パネル１５の前後方向の位置決めを確実に行うことができ、作業性を向上することができる。
【００２１】
上記のように構成した本実施の形態に係る室外機においては、天面パネル１５の上に付着した水滴や、天面パネル１５上に積った雪が融けて前面側に流れ出した場合、図の右側においては前面パネル３に沿って流れ落ちるが、吹出しグリル８側（左側）においては天面パネル１５に庇部１６が設けられているため、前面パネル３の面から離れた位置に水滴が落下し、前面パネル３の下部又は吹出しグリル８の棧に接触し、棧に沿って落下する。このため、凍結によるつららは吹出しグリル８の棧の部分で成長し、前面パネル３及びベルマウス７内へは浸入しない。
【００２２】
このため、外気温度が低くなってプロペラファン３０からの吹出し空気温度が氷点以下になっても、ベルマウス７とプロペラファン３０との間に氷結が生じることがなく、氷結によるプロペラファン３０の異常音の発生を防止することができる。
【００２３】
また、天面パネル１５の庇部１６は、その前端部が前面パネル３から離れた位置（突出した位置）にあるため、庇部１６に指をかけることがあるが、庇部１６の先端部の下部には内側に折り曲げた折り曲げ部１７を設けたので、指に怪我をすることがなく、安全性を確保することができる。
また、天面パネル１５は、庇部１６の近傍を含む嵌合部１８の複数箇所に設けたねじ挿通穴１９に挿通したねじを、これに対応してケーシング１の係合部９に設けたねじ穴１０に螺入して固定したので、若し、庇部１６に手を掛けて持ち上げるような力が加えられても、天面パネル１６の変形を防止することができる。
【００２４】
［実施の形態２］
図７は本発明の実施の形態２に係る空気調和装置の室外機の天面パネルを取外した状態を示す斜視図である。なお、実施の形態１と同一又は同じ機能の部分には、これと同じ符号を付してある。
実施の形態１では、天面パネル１５の前面側の吹出しグリル８に対応する部分の縁部に庇部１６を設けた場合を示したが、本実施の形態は、天面パネル１５の前面側の縁部全体に庇部１６を設けたものである。
本実施の形態においても、実施の形態１の場合とほぼ同様の効果を得ることができる。
【００２５】
［実施の形態３］
本実施の形態は、実施の形態１又は２に係る室外機を、冷媒配管及び電気配線により室内に設置した室内機に接続し、空気調和装置を構成したものである。
本実施の形態においても、実施の形態１の場合とほぼ同様の効果を得ることができる。
【符号の説明】
【００２６】
１  ケーシング、３  前面パネル、４  側面パネル、５  熱交換器、７  ベルマウス、８  吹出しグリル、９  係合部、１０  ねじ穴、１１  段部、１５  天面パネル、１６  庇部、１７  折り曲げ部、１８  嵌合部、１９  ねじ挿通穴、２０  張り出し部、２１  段部、３０  プロペラファン。
【図１】
0005220076.tif 000002
【図２】
0005220076.tif 000003
【図３】
0005220076.tif 000004
【図４】
0005220076.tif 000005
【図５】
0005220076.tif 000006
【図６】
0005220076.tif 000007
【図７】
0005220076.tif 000008